(57)【要約】基地局、通信端末及び通信端末用の干渉回避メッセージのトリガ方法が提供される。該通信端末は、ＬＴＥモジュールと、該ＬＴＥモジュールと共存する通信モジュールとを含み、該方法は、信号品質パラメータ及びトラフィックフローパラメータを測定する測定ステップと、前記トラフィックフローパラメータが所定の条件を満たすか否かを判断するトラフィックフロー判断ステップと、前記信号品質パラメータが所定の条件を満たすか否かを判断する信号品質判断ステップと、トラフィックフロー判断ステップの判断結果及び信号品質判断ステップの判断結果に基づいて、トリガ条件を満たすか否かを決定するトリガ決定ステップと、前記トリガ決定ステップにおいてトリガ条件が満たされていると判断された場合、干渉回避メッセージを送信する干渉回避メッセージ送信ステップと、を含む。【選択図】図３
2014513479.tif 000002
【特許請求の範囲】
【請求項１】
ＬＴＥモジュールと、該ＬＴＥモジュールと共存する通信モジュールとを含む通信端末に用いられる干渉回避メッセージのトリガ方法であって、
信号品質パラメータ及びトラフィックフローパラメータを測定する測定ステップと、
前記トラフィックフローパラメータが所定の条件を満たすか否かを判断するトラフィックフロー判断ステップと、
前記信号品質パラメータが所定の条件を満たすか否かを判断する信号品質判断ステップと、
トラフィックフロー判断ステップの判断結果及び信号品質判断ステップの判断結果に基づいて、トリガ条件を満たすか否かを決定するトリガ決定ステップと、
前記トリガ決定ステップにおいてトリガ条件が満たされていると判断された場合、干渉回避メッセージを送信する干渉回避メッセージ送信ステップと、を含む、通信端末用の干渉回避メッセージのトリガ方法。
【請求項２】
前記トラフィックフローパラメータは、前記ＬＴＥモジュールと共存する通信モジュールの影響を受けるＬＴＥ受信サブフレームの数であり、
前記ＬＴＥモジュールと共存する通信モジュールの影響を受けるＬＴＥ受信サブフレームの数が所定の閾値よりも大きい場合、前記トラフィックフロー判断ステップにおいて前記トラフィックフローパラメータが所定の条件を満たしていると判断する、請求項１に記載の干渉回避メッセージのトリガ方法。
【請求項３】
前記トラフィックフローパラメータは、前記ＬＴＥモジュールと共存する通信モジュールの影響を受けるＬＴＥサブフレームの数であり、
前記ＬＴＥモジュールと共存する通信モジュールの影響を受けるＬＴＥサブフレームの数が所定の閾値よりも大きい場合、前記トラフィックフロー判断ステップにおいて前記トラフィックフローパラメータが所定の条件を満たしていると判断する、請求項１に記載の干渉回避メッセージのトリガ方法。
【請求項４】
前記トラフィックフローパラメータは、ＬＴＥ受信サブフレームの数及び前記ＬＴＥモジュールと共存する通信モジュールの影響を受けるＬＴＥサブフレームの数であり、
前記ＬＴＥ受信サブフレームの数が所定の第１の閾値よりも小さく、且つ前記ＬＴＥモジュールと共存する通信モジュールの影響を受けるＬＴＥサブフレームの数が所定の第２の閾値よりも大きい場合、前記トラフィックフロー判断ステップにおいて前記トラフィックフローパラメータが所定の条件を満たしていると判断する、請求項１に記載の干渉回避メッセージのトリガ方法。
【請求項５】
前記トラフィックフローパラメータは、ＬＴＥ受信サブフレームの数に対する前記ＬＴＥモジュールと共存する通信モジュールの影響を受けるＬＴＥ受信サブフレームの数の比であり、
ＬＴＥ受信サブフレームの数に対する前記ＬＴＥモジュールと共存する通信モジュールの影響を受けるＬＴＥ受信サブフレームの数の比が所定の閾値よりも大きい場合、前記トラフィックフロー判断ステップにおいて前記トラフィックフローパラメータが所定の条件を満たしていると判断する、請求項１に記載の干渉回避メッセージのトリガ方法。
【請求項６】
前記信号品質パラメータは、ＬＴＥモジュールの受信信号品質のパラメータであり、
ＬＴＥモジュールの受信信号品質が所定の閾値よりも小さい場合、前記信号品質判断ステップにおいて信号品質パラメータが所定の条件を満たしていると判断する、請求項１に記載の干渉回避メッセージのトリガ方法。
【請求項７】
前記受信信号品質のパラメータは、基準信号の受信電力及び／又は基準信号の受信品質である、請求項６に記載の干渉回避メッセージのトリガ方法。
【請求項８】
前記信号品質パラメータは、基地局からＬＴＥモジュールに送信された信号の基準信号の受信品質パラメータと、基地局からＬＴＥモジュールに送信された信号及び共存モジュールから送信された信号の両者の混合信号の基準信号の受信品質パラメータとの差であり、
前記差が所定の閾値よりも大きい場合、前記信号品質判断ステップにおいて信号品質パラメータが所定の条件を満たしていると判断する、請求項１に記載の干渉回避メッセージのトリガ方法。
【請求項９】
前記信号品質判断ステップの判断結果及び前記トラフィックフロー判断ステップの判断結果はいずれもＹＥＳである状態が所定の時間維続した場合、前記信号品質判断ステップの判断結果及び前記トラフィックフロー判断ステップの判断結果はいずれもＹＥＳであることが連続的に所定の回数維続した場合、又は所定の時間帯において前記信号品質判断ステップの判断結果及び前記トラフィックフロー判断ステップの判断結果はいずれもＹＥＳであることの回数が所定の回数よりも大きい場合、前記トリガ決定ステップにおいてトリガ条件が満たされていると決定する、請求項１に記載の干渉回避メッセージのトリガ方法。
【請求項１０】
前記トラフィックフロー判断ステップ、前記信号品質判断ステップ及び前記トリガ決定ステップのうちいずれか１つ、２つ、又は３つ全てのそれぞれにおいて判断或いは決定するために必要な閾値を受信する閾値受信ステップをさらに含む、請求項１に記載の干渉回避メッセージのトリガ方法。
【請求項１１】
前記測定ステップにおいて、トラフィックフローパラメータ、並びに前記ＬＴＥモジュールのサービス周波数及び／又は非サービス周波数に関連する信号品質パラメータを測定する、請求項１に記載の干渉回避メッセージのトリガ方法。
【請求項１２】
ＬＴＥモジュールと、該ＬＴＥモジュールと共存する通信モジュールとを含む通信端末であって、
信号品質パラメータ及びトラフィックフローパラメータを測定する測定手段と、
前記トラフィックフローパラメータが所定の条件を満たすか否かを判断するトラフィックフロー判断手段と、
前記信号品質パラメータが所定の条件を満たすか否かを判断する信号品質判断手段と、
トラフィックフロー判断手段の判断結果及び信号品質判断手段の判断結果に基づいて、トリガ条件を満たすか否かを決定するトリガ決定手段と、
前記トリガ決定手段によりトリガ条件が満たされていると判断された場合、干渉回避メッセージを送信する干渉回避メッセージ送信手段と、を含む、通信端末。
【請求項１３】
前記トラフィックフローパラメータは、前記ＬＴＥモジュールと共存する通信モジュールの影響を受けるＬＴＥ受信サブフレームの数であり、
前記ＬＴＥモジュールと共存する通信モジュールの影響を受けるＬＴＥ受信サブフレームの数が所定の閾値よりも大きい場合、前記トラフィックフロー判断手段は、前記トラフィックフローパラメータが所定の条件を満たしていると判断する、請求項１２に記載の通信端末。
【請求項１４】
前記トラフィックフローパラメータは、前記ＬＴＥモジュールと共存する通信モジュールの影響を受けるＬＴＥサブフレームの数であり、
前記ＬＴＥモジュールと共存する通信モジュールの影響を受けるＬＴＥサブフレームの数が所定の閾値よりも大きい場合、前記トラフィックフロー判断手段は、前記トラフィックフローパラメータが所定の条件を満たしていると判断する、請求項１２に記載の通信端末。
【請求項１５】
前記トラフィックフローパラメータは、ＬＴＥ受信サブフレームの数及び前記ＬＴＥモジュールと共存する通信モジュールの影響を受けるＬＴＥサブフレームの数であり、
前記ＬＴＥ受信サブフレームの数が所定の第１の閾値よりも小さく、且つ前記ＬＴＥモジュールと共存する通信モジュールの影響を受けるＬＴＥサブフレームの数が所定の第２の閾値よりも大きい場合、前記トラフィックフロー判断手段は、前記トラフィックフローパラメータが所定の条件を満たしていると判断する、請求項１２に記載の通信端末。
【請求項１６】
前記トラフィックフローパラメータは、ＬＴＥ受信サブフレームの数に対する前記ＬＴＥモジュールと共存する通信モジュールの影響を受けるＬＴＥ受信サブフレームの数の比であり、
ＬＴＥ受信サブフレームの数に対する前記ＬＴＥモジュールと共存する通信モジュールの影響を受けるＬＴＥ受信サブフレームの数の比が所定の閾値よりも大きい場合、前記トラフィックフロー判断手段は、前記トラフィックフローパラメータが所定の条件を満たしていると判断する、請求項１２に記載の通信端末。
【請求項１７】
前記信号品質パラメータは、ＬＴＥモジュールの受信信号品質のパラメータであり、
ＬＴＥモジュールの受信信号品質が所定の閾値よりも小さい場合、前記信号品質判断手段は、信号品質パラメータが所定の条件を満たしていると判断する、請求項１２に記載の通信端末。
【請求項１８】
前記受信信号品質のパラメータは、基準信号の受信電力及び／又は基準信号の受信品質である、請求項１７に記載の通信端末。
【請求項１９】
前記信号品質パラメータは、基地局からＬＴＥモジュールに送信された信号の基準信号の受信品質パラメータと、基地局からＬＴＥモジュールに送信された信号及び共存モジュールから送信された信号の両者の混合信号の基準信号の受信品質パラメータとの差であり、
前記差が所定の閾値よりも大きい場合、前記信号品質判断手段は、信号品質パラメータが所定の条件を満たしていると判断する、請求項１２に記載の通信端末。
【請求項２０】
前記信号品質判断手段の判断結果及び前記トラフィックフロー判断手段の判断結果はいずれもＹＥＳである状態が所定の時間維続した場合、前記信号品質判断手段の判断結果及び前記トラフィックフロー判断手段の判断結果はいずれもＹＥＳであることが連続的に所定の回数維続した場合、又は所定の時間帯において前記信号品質判断手段の判断結果及び前記トラフィックフロー判断手段の判断結果はいずれもＹＥＳであることの回数が所定の回数よりも大きい場合、前記トリガ決定手段は、トリガ条件が満たされていると決定する、請求項１２に記載の通信端末。
【請求項２１】
前記トラフィックフロー判断手段、前記信号品質判断手段及び前記トリガ決定手段のうちいずれか１つ、２つ、又は３つ全てのそれぞれにおいて判断或いは決定するために必要な閾値を受信する閾値受信手段をさらに含む、請求項１２に記載の通信端末。
【請求項２２】
前記測定手段は、トラフィックフローパラメータ、並びに前記ＬＴＥモジュールのサービス周波数及び／又は非サービス周波数に関連する信号品質パラメータを測定する、請求項１２に記載の通信端末。
【請求項２３】
指令手段と、閾値送信手段と、記憶手段と、を含み、
前記指令手段は、前記閾値送信手段に信号品質判断用の閾値、トラフィックフロー判断用の閾値、トリガ条件閾値のうちいずれか１つ、２つ、又は３つ全てを送信させるように指示する指令を生成し、
前記閾値送信手段は、前記指令手段からの指令を受信した場合、前記記憶手段に記憶された、前記指令に対応する信号品質判断用の閾値、トラフィックフロー判断用の閾値、及び／又はトリガ条件閾値を送信し、
前記信号品質判断用の閾値は、前記基地局によりサービスが提供される通信機器によって、前記信号品質パラメータが所定の条件を満たすか否かを判断するために用いられ、
前記トラフィックフロー判断用の閾値は、前記基地局によりサービスが提供される通信機器によって、前記トラフィックフローパラメータが所定の条件を満たすか否かを判断するために用いられ、
前記トリガ条件閾値は、前記基地局によりサービスが提供される通信機器によって、干渉回避メッセージを送信すべきか否かを決定するために用いられる、基地局。
【請求項２４】
前記指令手段は、
所定の時間を計時した場合、前記閾値送信手段に閾値を送信させるように指示する計時手段、
前記基地局によりサービスが提供される通信機器から閾値送信の要求を受信し、該要求に基づいて前記閾値送信手段に閾値を送信させるように指示する要求受信手段、及び
閾値送信の指示を受信し、該指示に基づいて前記閾値送信手段に閾値を送信させるように指示する指示受信手段、
のうちいずれか１つ又は複数の手段を含む、請求項２３に記載の基地局。
【請求項２５】
前記指令手段は、前記計時手段を含むと共に、前記要求受信手段及び／又は前記指示受信手段を含み、
前記要求受信手段が前記要求を受信した場合又は前記指示受信手段が前記指示を受信した場合、前記計時手段は、計時し直す、請求項２４に記載の基地局。
【発明の詳細な説明】
【技術分野】
【０００１】
本発明は、無線通信の技術分野に関し、特に干渉回避トリガメッセージに関連する無線通信の技術分野に関する。
【背景技術】
【０００２】
無線通信システムのロングタームエボリューション（LTE：Long  Term  Evolution）及びその加強版（LTE-A）では、多種のネットワークを同時にアクセスさせるため、ユーザ端末（UE：User  Equipment）には多種の通信モジュールが集積されている（本文において、機器の共存と称する）。これらの通信モジュールは、例えばＬＴＥ／ＬＴＥ−Ａモジュール、無線ローカルエリアネットワーク（WLAN：Wireless  Local  Area  Network）モジュール、ブルートゥース（Bluetooth(登録商標)）モジュール及び全地球的衛星航法システム（GNSS：Global  Navigation  Satellite  System）モジュールなどがある。本文においては、ＬＴＥ／ＬＴＥ−Ａモジュール以外のモジュール、例えば、無線ローカルエリアネットワークモジュール、ブルートゥースモジュール及び全地球的衛星航法システムモジュールなどを共存モジュールと総称する。また、説明の便宜上、ＬＴＥ／ＬＴＥ−ＡモジュールをＬＴＥモジュールと略称し、ＬＴＥモジュール若しくはＬＴＥ−Ａモジュール、又はそれらの両者を表す。これらのＬＴＥモジュールと共存モジュールとの間の物理的な間隔が小さく、且つ作動周波数が接近するため、ＬＴＥモジュールと共存モジュールとの間には重大な共存干渉が存在し、それぞれの作動性能に影響を及ぼす可能性がある。このため、３ＧＰＰは新たな研究チームを設立し、これについて研究している。現在、ネットワーク側（即ちｅＮＢ）に共存干渉の状況を知らせるため、３ＧＰＰは、プロアクティブトリガ（proactive  trigger）メッセージ及びリアクティブトリガ（reactive  trigger）メッセージ（プロアクティブトリガメッセージ及びリアクティブトリガメッセージはいずれも干渉回避メッセージの例である）を定義している。前者は、ＬＴＥモジュールのサービス周波数及び他の非サービス周波数において共存干渉が発生し得ることをＵＥは発見した場合に送信するものであり、後者は、ＬＴＥモジュールのサービス周波数において重大な共存干渉が存在していることをＵＥは発見した場合に送信するものである。
【０００３】
本発明を研究する過程では、従来の一般の解決手段に欠点があることを発明者は発見した。具体的には、従来の一般の解決手段は、ＬＴＥモジュールの受信信号を２つの集合に分け、１つの集合は、基地局から該ＬＴＥモジュールに送信された信号を含んでいるが、共存モジュールから送信された信号を含んでいないものであり、もう１つの集合は、基地局から該ＬＴＥモジュールに送信された信号及び共存モジュールから送信された信号を共に含んでいるものである。そして、この２つの集合の信号の信号強度をそれぞれ測定することで共存干渉の重大度を判別する。しかし、この方法では、この２つの信号の信号強度をどうやって比較するかを明確に示しておらず、共存干渉の重大度を判別する際に共存システムのトラフィックフローも無視された。
【０００４】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００５】
本発明は従来技術の上記欠点に鑑みてなされたものであり、従来技術に存在する一種又は多種の欠点を解決或いは緩和し、少なくともある有益な選択肢を提供する。
【課題を解決するための手段】
【０００６】
本発明の一の態様によれば、ＬＴＥモジュールと、該ＬＴＥモジュールと共存する通信モジュールとを含む通信端末に用いられる干渉回避メッセージのトリガ方法であって、信号品質パラメータ及びトラフィックフローパラメータを測定する測定ステップと、前記トラフィックフローパラメータが所定の条件を満たすか否かを判断するトラフィックフロー判断ステップと、前記信号品質パラメータが所定の条件を満たすか否かを判断する信号品質判断ステップと、トラフィックフロー判断ステップの判断結果及び信号品質判断ステップの判断結果に基づいて、トリガ条件を満たすか否かを決定するトリガ決定ステップと、前記トリガ決定ステップにおいてトリガ条件が満たされていると判断された場合、干渉回避メッセージを送信する干渉回避メッセージ送信ステップと、を含む、通信端末用の干渉回避メッセージのトリガ方法が提供される。
【０００７】
本発明の他の態様によれば、ＬＴＥモジュールと、該ＬＴＥモジュールと共存する通信モジュールとを含む通信端末であって、信号品質パラメータ及びトラフィックフローパラメータを測定する測定手段と、前記トラフィックフローパラメータが所定の条件を満たすか否かを判断するトラフィックフロー判断手段と、前記信号品質パラメータが所定の条件を満たすか否かを判断する信号品質判断手段と、トラフィックフロー判断手段の判断結果及び信号品質判断手段の判断結果に基づいて、トリガ条件を満たすか否かを決定するトリガ決定手段と、前記トリガ決定手段によりトリガ条件が満たされていると判断された場合、干渉回避メッセージを送信する干渉回避メッセージ送信手段と、を含む、通信端末が提供される。
【０００８】
本発明の他の態様によれば、指令手段と、閾値送信手段と、記憶手段と、を含み、前記指令手段は、前記閾値送信手段に信号品質判断用の閾値、トラフィックフロー判断用の閾値、トリガ条件閾値のうちいずれか１つ、２つ、又は３つ全てを送信させるように指示する指令を生成し、前記閾値送信手段は、前記指令手段からの指令を受信した場合、前記記憶手段に記憶された、前記指令に対応する信号品質判断用の閾値、トラフィックフロー判断用の閾値、及び／又はトリガ条件閾値を送信し、前記信号品質判断用の閾値は、前記基地局によりサービスが提供される通信機器によって、前記信号品質パラメータが所定の条件を満たすか否かを判断するために用いられ、前記トラフィックフロー判断用の閾値は、前記基地局によりサービスが提供される通信機器によって、前記トラフィックフローパラメータが所定の条件を満たすか否かを判断するために用いられ、前記トリガ条件閾値は、前記基地局によりサービスが提供される通信機器によって、干渉回避メッセージを送信すべきか否かを決定するために用いられる、基地局が提供される。
【０００９】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【００１０】
上記の一般的説明及び下記の図面を参照する詳細な説明は単なる例示するものであり、本発明の保護範囲はこれらの説明に限定されない。
【図面の簡単な説明】
【００１１】
下記の図面を参照する本発明の詳細な説明から、本発明の上記及び他の目的、特徴及び利点をより明確に理解できる。全ての図面において、同一又は類似のユニットについて、同一又は類似の符号を付与する。
【図１】本発明の各種の実施形態を適用可能な移動通信システムを示す図。
【図２】本発明の実施形態に係る通信機器として用いられる携帯電話を示す図。
【図３】本発明の一の実施形態に係る通信機器の機能ブロック図。
【図４】本発明の一の実施形態に係る干渉回避トリガメッセージのトリガ方法を示すフローチャート。
【図５】本発明の他の実施形態に係る干渉回避トリガメッセージのトリガ方法を示すフローチャート。
【図６】本発明の他の実施形態に係る通信機器３００’の機能ブロック図。
【図７】本発明の一の実施形態に係る基地局を示すブロック図。
【発明を実施するための形態】
【００１２】
図面を参照しながら本発明の具体的な実施形態を詳細に説明する。これらの実施形態は例示するものに過ぎなく、本発明を限定するものではない。
【００１３】
以下は、携帯電話を例として本発明の実施形態を説明するが、本発明は携帯電話に限定されず、例えばＰＤＡ、携帯パソコン、ゲーム機など、ＬＴＥモジュールと共存モジュールとを有する各種の電子機器に適用されてもよい。
【００１４】
図１は、本発明の各種の実施形態を適用可能な移動通信システムを示す図である。
【００１５】
図１に示すように、該通信システムは、基地局（ＢＳ又はｅＮＢ等）と、基地局によりサービスが提供される複数の移動端末とを含む。図１に１つの基地局及び３つの端末のみが示されているが、より多い基地局及びより多い或いは少ない移動端末を含んでもよい。また、該システムには、中継局、ピコネット（piconet）を形成するマイクロ基地局、及び基地局を制御する、或いは基地局に対してサービスを提供する各種の上位層の機器などを含んでもよいが、その詳細はここに省略とされる。
【００１６】
図２は、本発明の実施形態に係る通信機器として用いられる携帯電話を示す図である。図２に示すように、携帯電話１０は、開き位置と閉じ位置との間に移動可能なフリップカバー１５を有するフリップ型携帯電話であってもよい。図２において、フリップカバー１５が開き位置にあると示されている。なお、携帯電話１０は、例えば「バー型携帯電話」（bar  phone）又は「スライド型携帯電話」の構造などの他の構造であってもよい。
【００１７】
電子機器１０は表示器１４を含んでもよい。表示器１４は、ユーザが電子機器１０の各種の特徴を利用できるように、ユーザに例えば操作状態、時間、電話番号、電話帳情報、各種のメニュー等の情報を表示する。表示器１４は、電子機器１０により受信された内容及び／又は電子機器１０のメモリ（図示せず）から検索された内容を視学的に表示することができる。表示器１４は、ユーザに画像、ビデオ及び他の図形、例えば写真、携帯テレビの内容及びゲームに関連するビデオを表示することができる。
【００１８】
キーボード１８は多種のユーザからの入力操作を提供する。例えば、キーボード１８は、英数字の情報（例えば電話番号、電話リスト、電話帳情報、メモ帳、文書等）を入力可能な英数字のキーを含んでもよい。また、キーボード１８は、特定のファンクションキー１７、例えば通話を開始或いは応答するための「コール送信」キー、及び通話を「終了」する「コール終了」キーを含んでもよい。特定のファンクションキーは、便利にナビゲーションを実行するように表示器１４のメニューに表示されるメニューナビゲーションキー及び選択キーをさらに含んでもよい。例えば、ユーザからの方向入力を受信するようにポインティングデバイス及び／又はナビゲーションキーを提供してもよい。また、ソフトキーの機能を実現するように表示器１４及びキーボード１８を互いに結合してもよい。電子機器１０は、アンテナ、マイクロコントローラ等のその機能を実現するために必要な部材をさらに含む。
【００１９】
図３は、本発明の一の実施形態に係る通信機器の機能ブロック図である。図３は単なる例示するものであり、本発明を理解することに影響を及ぼさない他の機能部材が省略される。
【００２０】
図３に示すように、本発明の１つの実施形態に係る通信機器３００は、測定部３０１、トラフィックフロー判断部３０２、信号品質判断部３０３、トリガ決定部３０４及びトリガメッセージ送信部３０５を含む。
【００２１】
測定部３０１は、信号品質パラメータ及びトラフィックフロー（traffic  flow）パラメータを測定する。
【００２２】
信号品質パラメータは、ＬＴＥモジュールにより受信された信号の品質を示すものである。
【００２３】
１つの実施形態では、該信号品質パラメータは、ＬＴＥモジュールの受信信号の品質、例えば基準信号の受信電力（RSRP：Reference  Signal  Received  Power）及び／基準信号の受信品質（RSRQ：Reference  Signal  Received  Quality）である。
【００２４】
もう１つの実施形態では、該信号品質パラメータは、ＲＳＲＱｎｏＩＳＭとＲＳＲＱＩＳＭとの差である。ＬＴＥモジュールにより受信された信号を２つの集合に分けて、１つの集合（第１の信号集合とも称する）は、基地局から該ＬＴＥモジュールに送信された信号を含んでいるが、共存モジュールから送信された信号を含んでいないものであり、もう１つの集合（第２の信号集合とも称する）は、基地局から該ＬＴＥモジュールに送信された信号及び共存モジュールから送信された信号を共に含んでいるものである。第１の信号集合において測定された基準信号の品質のパラメータはＲＳＲＱｎｏＩＳＭであり、第２の信号集合において測定された基準信号の品質のパラメータはＲＳＲＱＩＳＭである。
【００２５】
測定方法の一つの例としては、第１の信号集合から幾つの信号サンプリングポイントを選択して測定し、これらの信号サンプリングポイントの測定結果の平均値を取得することで、測定結果を取得する。なお、これは単なる基準信号の品質を測定する一つの方法であり、当業者は各種の方法で測定してもよい。即ち、本実施形態では、該信号品質パラメータは、基地局からＬＴＥモジュールに送信された信号の基準信号の受信品質パラメータと、基地局からＬＴＥモジュールに送信された信号及び共存モジュールから送信された信号の両者の混合信号の基準信号の受信品質パラメータとの差である。
【００２６】
測定部３０１は、他の信号品質パラメータを測定してもよい。
【００２７】
トラフィックフローパラメータは、ＬＴＥモジュール及び共存モジュールにおけるトラフィックフロー特徴を示すものである。
【００２８】
１つの実施形態では、トラフィックフローパラメータは、共存モジュールから送信されたデータの影響を受けるＬＴＥサブフレームの数（共存モジュールの影響を受けるＬＴＥサブフレームの数）である。１つの実施形態では、１つのＬＴＥサブフレームの期間において、該ＬＴＥモジュールと共存する通信モジュールがデータを送信する場合、このサブフレームは既に影響を受けることになる。ＬＴＥシステムにおけるデータの送受信はサブフレームを単位として行われる。例えば、サブフレーム１からサブフレーム１００までの１００個のサブフレームでは、ＬＴＥモジュールはあるサブフレームにおいてデータ及び／又は基準信号を受信し（これらのサブフレームをＬＴＥ受信サブフレームと称する）、あるサブフレームにおいてデータを送信し（ＬＴＥ送信サブフレーム）、共存モジュールはＬＴＥモジュールと独立してデータを送受信する。このため、あるＬＴＥサブフレームの期間において、ＬＴＥモジュールがデータを受信或いは送信しているが、共存モジュールがデータを送信しておらず、また、あるＬＴＥサブフレームにおいて、ＬＴＥモジュールがデータを受信或いは送信すると共に、共存モジュールがデータを送信する。よって、共存モジュールがデータを送信する時の関連するＬＴＥサブフレームをカウントすることで、共存モジュールにより影響を受けるＬＴＥサブフレームの数を取得できる。
【００２９】
もう１つの実施形態では、トラフィックフローパラメータは、ＬＴＥモジュールがデータを受信し、且つ共存モジュールがデータを送信する場合のＬＴＥサブフレームの数である。即ち、このようなＬＴＥサブフレームの数とは、該サブフレームにおいて、ＬＴＥモジュールがデータを受信し、該期間において共存モジュールがデータを送信する。該ＬＴＥサブフレームの数は、共存モジュールの影響を受けるＬＴＥ受信サブフレームの数とも称してもよい。
【００３０】
もう１つの実施形態では、トラフィックフローパラメータは、ＬＴＥモジュールがデータを受信するサブフレームの数、及び共存モジュールの影響を受けるＬＴＥモジュールのサブフレームの数の両者である。
【００３１】
さらにもう１つの実施形態では、トラフィックフローパラメータは、ＬＴＥ受信サブフレームの数に対する共存モジュールの影響を受けるＬＴＥ受信サブフレームの数の比である。
【００３２】
測定部３０１は、他のトラフィックフローパラメータを測定してもよい。
【００３３】
トラフィックフロー判断部３０２は、トラフィックフローパラメータが所定の条件を満たすか否かを判断する。
【００３４】
測定部３０１により測定されたトラフィックフローパラメータが共存モジュールの影響を受けるＬＴＥサブフレームの数である場合、共存モジュールの影響を受けるＬＴＥサブフレームの数が所定の閾値よりも大きいとき、トラフィックフロー判断部３０２は、トラフィックフローパラメータが所定の条件を満たしていると判断する。
【００３５】
測定部３０１により測定されたトラフィックフローパラメータが共存モジュールの影響を受けるＬＴＥ受信サブフレームの数である場合、共存モジュールの影響を受けるＬＴＥ受信サブフレームの数が所定の閾値よりも大きいとき、トラフィックフロー判断部３０２は、トラフィックフローパラメータが所定の条件を満たしていると判断する。
【００３６】
測定部３０１により測定されたトラフィックフローパラメータがＬＴＥ受信サブフレームの数及び共存モジュールの影響を受けるＬＴＥサブフレームの数である場合、ＬＴＥ受信サブフレームの数が所定の第１の閾値よりも小さく、且つ共存モジュールの影響を受けるＬＴＥサブフレームの数が所定の第２の閾値よりも大きいとき、トラフィックフロー判断部３０２は、トラフィックフローパラメータが所定の条件を満たしていると判断する。該所定の第１の閾値と該所定の第２の閾値とは、同一であってもよいし異なってもよい。
【００３７】
測定部３０１により測定されたトラフィックフローパラメータがＬＴＥ受信サブフレームの数に対する共存モジュールの影響を受けるＬＴＥ受信サブフレームの数の比である場合、ＬＴＥ受信サブフレームの数に対する共存モジュールの影響を受けるＬＴＥ受信サブフレームの数の比が所定の閾値よりも大きいとき、トラフィックフロー判断部３０２は、トラフィックフローパラメータが所定の条件を満たしていると判断する。
【００３８】
信号品質判断部３０３は、信号品質パラメータが所定の条件を満たすか否かを判断する。
【００３９】
測定部３０１により測定された信号品質パラメータがＬＴＥモジュールの受信信号品質のパラメータ、例えば基準信号の受信電力（RSRP）及び基準信号の受信品質（RSRQ）である場合、ＬＴＥモジュールの受信信号品質が所定の閾値よりも小さい、例えば基準信号の受信電力（RSRP）が所定の閾値及び／又は基準信号の受信品質（RSRQ）が所定の閾値よりも小さいとき、信号品質判断部３０３は、信号品質パラメータが所定の条件を満たしていると判断する。
【００４０】
測定部３０１により測定された信号品質パラメータがＲＳＲＱｎｏＩＳＭ−ＲＳＲＱＩＳＭである場合、ＲＳＲＱｎｏＩＳＭ−ＲＳＲＱＩＳＭが所定の閾値よりも大きいとき、信号品質判断部３０３は、信号品質パラメータが所定の条件を満たしていると判断する。
【００４１】
なお、測定部３０１は、上記各実施形態に適用されるトラフィックフローパラメータをまとめて測定してもよいし、トラフィックフロー判断部３０２は、これらのトラフィックフローパラメータをそれぞれ判断し、一部（例えば投票判断条件を満たす）又は全部のトラフィックフローパラメータの全てが所定の条件を満たしている場合のみ、トラフィックフローパラメータが所定の条件を満たすと判断してもよい。
【００４２】
なお、測定部３０１は、上記各実施形態に適用される信号品質パラメータをまとめて測定してもよいし、信号品質判断部３０３は、これらの信号品質パラメータをそれぞれ判断し、一部（例えば投票判断条件を満たす）又は全部の信号品質パラメータの全てが所定の条件を満たしている場合のみ、信号品質パラメータが所定の条件を満たすと判断してもよい。
【００４３】
トリガ決定部３０４は、トラフィックフロー判断部３０２の判断結果及び信号品質判断部３０３の判断結果の両者に基づいて、トリガメッセージを送信するか否かを決定する。
【００４４】
１つの実施形態では、一定の時間帯において、トラフィックフロー判断部３０２の判断結果及び信号品質判断部３０３の判断結果がいずれもＹＥＳである場合、トリガ決定部３０４は、トリガメッセージを送信すると決定する。
【００４５】
もう１つの実施形態では、一定の時間帯において、トラフィックフロー判断部３０２の判断結果及び信号品質判断部３０３の判断結果の両者がＹＥＳである回数が所定値よりも大きい場合、トリガ決定部３０４は、トリガメッセージを送信すると決定する。
【００４６】
さらにもう１つの実施形態では、トラフィックフロー判断部３０２の判断結果及び信号品質判断部３０３の判断結果がいずれもＹＥＳであることが連続的に所定の回数維続した場合、トリガ決定部３０４は、トリガメッセージを送信すると決定する。
【００４７】
トリガメッセージ送信部３０５は、トリガ決定部３０４の指示に基づいて、干渉回避メッセージを送信する。即ち、トリガ決定部３０４がトリガメッセージを送信すると決定した場合、トリガメッセージ送信部３０５は、トリガメッセージ（干渉回避メッセージ）を送信する。干渉回避メッセージの１つの態様として、現在のＬＴＥモジュールがＬＴＥ共存モジュールにより強く干渉されていることを示す。干渉回避メッセージのもう１つの態様として、現在のＬＴＥモジュールがＬＴＥ共存モジュールにより強く干渉されていることを示すと共に、適切な干渉回避メカニズムを設けて干渉を低減或いは回避するように基地局を補助するための他の補足情報（例えば利用不可の周波数、ＬＴＥモジュールとＬＴＥ共存モジュールとは交互に作動する周期、及び各モジュールの各周期内の作動時間）をさらに含む。
【００４８】
１つの実施形態では、トラフィックフロー判断部３０２及び信号品質判断部３０３の判断は共に情報の流れの上位層（即ち物理層及び／又はデータリンク層よりも上位の層）で行われる。１つの実施形態では、トラフィックフロー判断部３０２の判断の全ては、情報の流れの下位層（底層、即ち物理層及び／又はデータリンク層）で行われ、信号品質判断部３０３の判断は、情報の流れの上位層で行われる。
【００４９】
以下、本発明の上記通信機器により実行される例示的な方法（干渉回避メッセージのトリガ方法）のフローを説明する。通信機器の説明は、通信機器が実行する方法を理解することに役に立ち、通信機器の処理機器の説明は、通信機器を理解することに役に立つ。
【００５０】
図４は本発明の一の実施形態に係る干渉回避トリガメッセージのトリガ方法を示すフローチャートである。
【００５１】
図４に示すように、先ず、ステップ４０１において、タイマーをリセットする（或いは初期化する）。そして、ステップ４０２において、トラフィックフローパラメータ及び信号品質パラメータを測定する。そして、ステップ４０３において、トラフィックフローパラメータが所定の条件を満たすか否かを判断する。ステップ４０３においてトラフィックフローパラメータが所定の条件を満たしていないと判断された場合（ステップ４０３、ＮＯ）、処理はステップ４０１に戻れ、タイマーをリセットして後続のステップを繰り返す。一方、ステップ４０３においてトラフィックフローパラメータが所定の条件を満たしていると判断された場合（ステップ４０３、ＹＥＳ）、処理はステップ４０４に進む。ステップ４０４において、信号品質パラメータが所定の条件を満たすか否かを判断する。ステップ４０４において信号品質パラメータが所定の条件を満たしていないと判断された場合（ステップ４０４、ＮＯ）、処理はステップ４０１に戻れ、タイマーをリセットして後続のステップを繰り返す。一方、ステップ４０４において信号品質パラメータが所定の条件を満たしていると判断された場合（ステップ４０４、ＹＥＳ）、処理はステップ４０５に進む。ステップ４０５において、所定の時間を経過したか否かを判断する（即ち、一定の時間帯内に、測定された信号品質パラメータ及びトラフィックフローパラメータが共に一定の条件を満たすか否かを判断する）。まだ所定の時間を経過していないと判断された場合（ステップ４０５、ＮＯ）、処理はステップ４０２に戻れ、パラメータの測定を行い続ける。所定の時間を経過したと判断された場合（ステップ４０５、ＹＥＳ）、即ちアクティブトリガメッセージを送信すると判断された場合、ステップ４０６において、アクティブトリガメッセージを送信して、処理を終了させる。
【００５２】
図４に示される実施形態では、信号品質パラメータ及びトラフィックフローパラメータの測定、トラフィックフローパラメータが所定の条件を満たすか否かの判断は、下位層（底層）で行われ、信号品質パラメータが所定の条件を満たすか否かの判断は、上位層で行われる。但し、これは限定されるものではなく、他の実施形態では、トラフィックフローパラメータが所定の条件を満たすか否かの判断は上位層で行われてもよい。他の実施形態では、全ての処理は上位層で行われてもよい。
【００５３】
通常、信号品質パラメータ及びトラフィックフローパラメータの測定は下位層で行われ、この場合、トラフィックフローパラメータが所定の条件を満たすか否かの判断が上位層で行われているとき、下位層は上位層へ信号品質パラメータ及びトラフィックフローパラメータの両者を報告する。トラフィックフローパラメータが所定の条件を満たすか否かの判断が下位層で行われる場合、トラフィックフローパラメータが所定の条件を満たしていると判断されたとき、下位層は上位層へ信号品質パラメータのみを報告すればよい。
【００５４】
また、通常、信号品質パラメータが所定の条件を満たすか否かの判断は上位層で行われ、信号品質パラメータが所定の条件を満たすか否かの判断を行う場合、あるときに、上位層が前処理、例えばこの前処理された信号品質パラメータと下位層から新たに報告された品質パラメータとを重み付けて平均値を取得する処理を行ってもよい。
【００５５】
また、図４におけるタイマーは、カウンタに代わってもよい。この場合、ステップ４０５においては、所定の回数に達したか否かを判断してもよい。この場合、信号品質パラメータが所定の条件を満たすか否かの判断結果及びトラフィックフローパラメータが所定の条件を満たすか否かの判断結果は共にＹＥＳであることが連続的に所定の回数維続した場合のみ、干渉回避メッセージを送信する。
【００５６】
図５は、本発明の他の実施形態に係る干渉回避トリガメッセージのトリガ方法を示すフローチャートである。
【００５７】
図５に示すように、先ず、ステップ５０１において、タイマー及びカウンタをリセットし、例えば共に０に設定する。そして、ステップ５０２において、トラフィックフローパラメータ及び信号品質パラメータを測定する。そして、ステップ５０３において、トラフィックフローパラメータが所定の条件を満たすか否かを判断する。ステップ５０３においてトラフィックフローパラメータが所定の条件を満たしていないと判断された場合（ステップ５０３、ＮＯ）、処理はステップ５０６に進む。一方、ステップ５０３においてトラフィックフローパラメータが所定の条件を満たしていると判断された場合（ステップ５０３、ＹＥＳ）、処理はステップ５０４に進む。ステップ５０４において、信号品質パラメータが所定の条件を満たすか否かを判断する。ステップ５０４において信号品質パラメータが所定の条件を満たしていないと判断された場合（ステップ５０４、ＮＯ）、処理はステップ５０６に進む。一方、ステップ５０４において信号品質パラメータが所定の条件を満たしていると判断された場合（ステップ５０４、ＹＥＳ）、処理はステップ５０５に進む。ステップ５０５において、カウンタの値を加算する。１つの実施形態では、カウンタの値に１を加算し、他の値を加算してもよい。その後、処理はステップ５０６に進み、ステップ５０６において所定の時間を経過したか否かを判断する。ステップ５０６においてまだ所定の時間を経過していないと判断された場合（ステップ５０６、ＮＯ）、処理はステップ５０２に戻れ、信号品質パラメータ及びトラフィックフローパラメータの測定を行う。所定の時間を経過したと判断された場合（ステップ５０６、ＹＥＳ）、ステップ５０７においてカウンタの値が所定の値よりも大きいか否かを判断する（即ち、一定の時間帯内に、測定された信号品質パラメータ及びトラフィックフローパラメータが共に一定の条件を満たした状況の回数が一定の条件を満たすか否かを判断する）。カウンタの値が所定値よりも大きいと判断された場合（ステップ５０７、ＮＯ）、即ちリアクティブトリガメッセージを送信すべきと判断された場合、ステップ５０８において、リアクティブトリガメッセージを送信して、処理を終了させる。
【００５８】
図５に示される実施形態では、信号品質パラメータ及びトラフィックフローパラメータの測定は下位層で行われ、トラフィックフローパラメータが所定の条件を満たすか否かの判断、信号品質パラメータが所定の条件を満たすか否かの判断は、上位層で行われる。但し、これは限定されるものではなく、他の実施形態では、全ての処理は上位層で行われてもよい。また、他の実施形態では、トラフィックフローパラメータが所定の条件を満たすか否かの判断も下位層で行われてもよい。
【００５９】
なお、図４及び図５には、１回の判断過程のみが示され、実際に応用する際に、１回の判断が終了したとき、すぐ次回の判断を行う、例えばタイマー又はカウンタのリセットなどを行う。
【００６０】
図６は、本発明の他の実施形態に係る通信機器３００’の機能ブロック図である。図６は単なる例示的なものであり、本発明を理解することに影響を及ぼさない他の機能部を省略する。図３に示される通信機器と比べると、図６に示される通信機器は閾値受信部３０６が追加されている。閾値受信部３０６は、基地局から（他の実施形態では、通信機器のマン・マシンインターフェース（man-machine  interface）を介してユーザから）、トラフィックフロー判断部３０２、信号品質判断部３０３及びトリガ決定部３０４のうちいずれか１つ、２つ、又は３つ全てのそれぞれにおいて判断或いは決定するために必要な閾値を受信する。
【００６１】
例えば、トラフィックフロー判断部３０２は共存モジュールの影響を受けるＬＴＥサブフレームの数が所定の閾値よりも大きいか否かに基づいてトラフィックフローパラメータが所定の条件を満たすか否かを判断する場合、閾値受信部３０６は基地局から該閾値を受信し、トラフィックフロー判断部３０２は該閾値に基づいてトラフィックフローパラメータが所定の条件を満たすか否かを判断する。
【００６２】
また、例えば、信号品質判断部３０３はＬＴＥモジュールの受信信号の品質が所定の閾値よりも小さいか否かに基づいて信号品質パラメータが所定の条件を満たすか否かを判断する場合、閾値受信部３０６は基地局から該閾値を受信し、信号品質判断部３０３は該閾値に基づいて信号品質パラメータが所定の条件を満たすか否かを判断する。
【００６３】
また、例えば、閾値受信部３０６は基地局からカウンタ及び／又はタイマーの閾値（トリガ条件閾値とも称する）を受信し、トリガ決定部３０４は該閾値により、タイマーが所定の時間を経過したか否か及び／又はカウンタが所定値に達したか否かを決定し、トリガ条件（トリガメッセージを送信する条件）を満たすか否かを判断してもよい。
【００６４】
他の実施形態では、要求部をさらに含んでもよく、該要求部は、基地局に要求を行って、基地局から対応する閾値を送信するように要求する。
【００６５】
この場合、図４及び図５のフローチャートには対応する閾値受信ステップを追加する必要があり、該ステップはステップ５０１に接近する或いはステップ４０１の前にあってもよい。
【００６６】
測定部３０１、トラフィックフロー判断部３０２、信号品質判断部３０３、トリガ決定部３０４及びトリガメッセージ送信部３０５の他の操作は上述した態様と基本的に同様であるため、ここにその説明を省略とされる。
【００６７】
なお、測定された信号品質パラメータ及びトラフィックフローパラメータは、トラフィックフローパラメータ、及びＬＴＥモジュールの現在のサービス周波数に関連する信号品質パラメータであってもよいし、トラフィックフローパラメータ、及びＬＴＥモジュールの現在の非サービス周波数に関連する信号品質パラメータであってもよい。測定された信号品質パラメータ及びトラフィックフローパラメータは、トラフィックフローパラメータ、及びＬＴＥモジュールの現在のサービス周波数に関連する信号品質パラメータである場合、リアクティブトリガメッセージ（reactive  trigger）をトリガし、測定された信号品質パラメータ及びトラフィックフローパラメータは、トラフィックフローパラメータ、及びＬＴＥモジュールの現在の非サービス周波数に関連する信号品質パラメータである場合、プロアクティブトリガ（proactive  trigger）メッセージをトリガする。勿論、測定された信号品質パラメータは、ＬＴＥモジュールの現在のサービス周波数に関する信号品質パラメータ及びＬＴＥモジュールの現在の非サービス周波数に関する信号品質パラメータの両者であってもよい。
【００６８】
図７は、本発明の一の実施形態に係る基地局を示すブロック図である。図７に示すように、本発明の１つの実施形態によれば、基地局７００は、計時部７０１、要求受信部７０２、指示受信部７０３、閾値送信部７０４及び記憶部７０５を含む。
【００６９】
計時部７０１は計時を行うためのものであり、所定の時間を経過した場合、閾値送信部７０４は、移動端末へ信号品質判断用の閾値、及び／又はトラフィックフロー判断用の閾値、及び／又はトリガ条件閾値を送信する。言い換えれば、異なる実施形態では、信号品質判断用の閾値、トラフィックフロー判断用の閾値、及びトリガ条件閾値の三者を送信してもよいし、三者のうちいずれか二者を送信してもよいし、三者のうち１つを送信してもよい。トラフィックフロー判断部３０２、信号品質判断部３０３及びトリガ決定部３０４は受信された対応の閾値に基づいてそれぞれの判断及び決定を行ってもよい。
【００７０】
要求受信部７０２は、移動端末から要求を受信し、移動端末からの要求が受信された場合、閾値送信部７０４は、移動端末へ信号品質判断用の閾値、及び／又はトラフィックフロー判断用の閾値、及び／又はトリガ条件閾値を送信する。
【００７１】
指示受信部７０３は、信号品質判断用の閾値、及び／又はトラフィックフロー判断用の閾値、及び／又はトリガ条件閾値を送信する旨の指示を受信する。該指示は、基地局のプロバイダーからのものであってもよい。この場合、指示受信部７０３は、信号品質判断用の閾値、及び／又はトラフィックフロー判断用の閾値、及び／又はトリガ条件閾値の具体的な値をさらに受信してもよい。閾値送信部７０４は、移動端末へ信号品質判断用の閾値、トラフィックフロー判断用の閾値、及び／又はトリガ条件閾値を送信する。
【００７２】
要求受信部７０２が移動端末から要求を受信した場合、又は指示受信部７０３が指示を受信した場合、計時部７０１をリセットしてもよい。
【００７３】
記憶部７０５は、対応する信号品質判断用の閾値、及び／又はトラフィックフロー判断用の閾値、及び／又はトリガ条件閾値を記憶するためのものである。
【００７４】
図７に示される計時部７０１、要求受信部７０２、指示受信部７０３は、本発明の実施形態に係る指令手段の実施例である。但し、異なる実施形態では、それらのうちいずれか２つを有してもよいし、又はそれらのうちいずれか１つを有してもよい。
【００７５】
本発明は、図７に示される基地局の処理方法に係るものを含むが、この送信方法は以上の説明から理解できるから、ここにその説明を省略とされる。
【００７６】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００７７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2014513479.tif 000003
【図２】
2014513479.tif 000004
【図３】
2014513479.tif 000005
【図４】
2014513479.tif 000006
【図５】
2014513479.tif 000007
【図６】
2014513479.tif 000008
【図７】
2014513479.tif 000009
【国際調査報告】
2014513479.tif 000010
2014513479.tif 000011
2014513479.tif 000012
2014513479.tif 000013